(57)【要約】【課題】洗濯装置の配置状態に応じてコントロールパネルの結合及び分離操作が便利になるようにした新しい構造の洗濯装置を提供する。【解決手段】外観をなす本体ケースと、前記本体ケースの前面において上側及び／または下側に結合するパネルフレームと、前記パネルフレームの前方に選択的に着脱自在に結合し、運転に必要な各種操作がなされるコントロールパネルと、前記パネルフレームが前記パネルフレームの前方側から抜け外れるのを防止する抜け防止部とを含む構成とした。【選択図】図３
2009520565.tif 000002
【特許請求の範囲】
【請求項１】
外観をなす本体ケースと、
前記本体ケースの前面において上側及び／または下側に結合するパネルフレームと、
前記パネルフレームの前方に選択的に着脱自在に結合し、運転に必要な各種操作がなされるコントロールパネルと、
前記コントロールパネルが前記パネルフレームの前方側から抜け外れるのを防止する抜け防止部と、
を備えてなることを特徴とする洗濯装置。
【請求項２】
前記抜け防止部は、
前記パネルフレームの両側のうち、少なくともいずれか一側からその前方に向けて突出して形成された結合ブラケットと、
前記各結合ブラケット及び前記コントロールパネルの両側にそれぞれ対応して形成される突起部及び凹溝部と、
を備えてなることを特徴とする、請求項１に記載の洗濯装置。
【請求項３】
前記突起部及び凹溝部はそれぞれ、少なくとも２つ以上であることを特徴とする、請求項２に記載の洗濯装置。
【請求項４】
前記突起部は前記コントロールパネルに形成され、
前記凹溝部は前記結合ブラケットに形成されることを特徴とする、請求項２に記載の洗濯装置。
【請求項５】
前記突起部は、前記コントロールパネルに一体として形成される支持端と、前記支持端の内側端から下方または上方に折り曲げられた折曲端と、を備えてなり、
前記凹溝部は、前記支持端が嵌め込まれる水平入り口と、前記折曲端が嵌め込まれる垂直入り口と、を備えてなることを特徴とする、請求項４に記載の洗濯装置。
【請求項６】
前記突起部は前記結合ブラケットに形成され、前記凹溝部は、前記コントロールパネルに形成されることを特徴とする、請求項２に記載の洗濯装置。
【請求項７】
前記突起部は、前記結合ブラケットに一体として形成される支持端と、前記支持端の内側端から下方または上方に折り曲げられた折曲端と、を備えてなり、
前記凹溝部は、前記支持端が嵌め込まれる水平入り口と、前記折曲端が嵌め込まれる垂直入り口と、を備えてなることを特徴とする、請求項６に記載の洗濯装置。
【請求項８】
前記コントロールパネルが前記パネルフレームに結合した後に動くるのを防止する動き防止部材をさらに備えてなることを特徴とする、請求項１に記載の洗濯装置。
【請求項９】
前記抜け防止部は、前記コントロールパネルとパネルフレームの一側にそれぞれ対応して形成され、前記動き防止部材は、前記コントロールパネルとパネルフレームの他側にそれぞれ対応して形成されることを特徴とする、請求項８に記載の洗濯装置。
【請求項１０】
前記動き防止部材は、
前記パネルフレームに設けられる結合ブラケットと、
前記結合ブラケットに設けられる結合穴と、
前記コントロールパネルに、前記結合穴に対応する位置に設けられるねじ穴と、
前記ねじ穴と結合穴に締付けられるねじと、
を備えてなることを特徴とする、請求項８に記載の洗濯装置。
【請求項１１】
前記ねじが外部から見えないようにねじを隠す隠しキャップをさらに備えることを特徴とする、請求項１０に記載の洗濯装置。
【請求項１２】
前記コントロールパネルには結合溝が形成され、前記結合溝にはねじ穴が形成されることを特徴とする、請求項１０に記載の洗濯装置。
【請求項１３】
前記結合溝に嵌め付けられ、前記結合溝及びねじを同時に隠す隠しキャップをさらに備えることを特徴とする、請求項１２に記載の洗濯装置。
【請求項１４】
前記結合溝には、ヒンジ溝が設けられ、前記隠しキャップには、前記ヒンジ溝に対応してヒンジ突起が設けられ、該ヒンジ突起がなすヒンジ軸を中心に枢動しながら、前記隠しキャップが前記結合溝及びねじを開放したり隠すようにすることを特徴とする、請求項１３に記載の洗濯装置。
【請求項１５】
前記結合溝には、ヒンジ突起が設けられ、前記隠しキャップには、前記ヒンジ突起に対応してヒンジ溝が設けられ、ヒンジ突起がなすヒンジ軸を中心に枢動しながら、前記隠しキャップが前記結合溝及びねじを開放したり隠すようにすることを特徴とする、請求項１３に記載の洗濯装置。
【請求項１６】
前記結合溝の底面には、離脱防止部が設けられ、前記隠しキャップには、前記離脱防止部に対応して係合部が設けられ、前記係合部が離脱防止部に引っ掛かったまま枢動しながら、前記隠しキャップが前記結合溝及びねじを開放したり隠すようにすることを特徴とする、請求項１３に記載の洗濯装置。
【請求項１７】
前記隠しキャップには係合溝が設けられ、前記結合溝には係止突起が設けられることを特徴とする、請求項１６に記載の洗濯装置。
【請求項１８】
前記隠しキャップには係止突起が設けられ、前記係合溝には係合溝が設けられることを特徴とする、請求項１７に記載の洗濯装置。
【請求項１９】
前記パネルフレームは、前記本体ケースの前面において上側と下側ともにそれぞれ設けられ、前記各パネルフレームのうち、前記コントロールパネルが装着されない側のパネルフレームにはそれに選択的に着脱自在に結合するカバーパネルがさらに提供されることを特徴とする、請求項１に記載の洗濯装置。
【請求項２０】
前記パネルフレームと前記カバーパネル間の着脱のための構造は、前記パネルフレームと前記コントロールパネル間の着脱のための構造と同一に構成されることを特徴とする、請求項１９に記載の洗濯装置。
【請求項２１】
外観をなす本体ケースと、
前記本体ケースの前面に結合するパネルフレームと、
前記パネルフレームの前方に選択的に着脱自在に結合し、運転に必要な各種操作がなされるコントロールパネルと、
前記パネルフレームのいずれか一側端と前記コントロールパネルのいずれか一側内面に互いに対応して形成され、前記コントロールパネルが前記パネルフレームの一側から他側にスライドすることによって結合し、前方から離脱しないようにする抜け防止部と、
前記コントロールパネルの一側に嵌め込まれ、前記コントロールパネルを前記パネルフレームに固定させる動き防止部材と、
を備えることを特徴とする洗濯装置。
【請求項２２】
前記パネルフレームの水平端の上面に提供され、前記本体ケースの上面前方側部位を形成するアールデコ調の部分をさらに備えることを特徴とする、請求項２１に記載の洗濯装置。
【発明の詳細な説明】
【技術分野】
【０００１】
本発明は、洗濯装置のコントロールパネルアセンブリーとこれを備えた洗濯装置に関するもので、より詳細には、製作が容易で、選択された運転条件の認識が容易となるように改善されたコントロールパネルアセンブリーとこれを備えた洗濯装置に関する。
【背景技術】
【０００２】
一般に、洗濯装置には、洗濯物を洗濯する洗濯機と、洗濯物を洗濯するとともに乾燥機能も行う乾燥兼用洗濯機と、衣類などの乾燥のみを行う衣類乾燥器などが含まれる。
【０００３】
また、上記の洗濯装置は、洗濯物の投入方向（あるいは、ドラムの設置構造）によって、トップローディング（Ｔｏｐ  Ｌｏａｄｉｎｇ）方式とフロントローディング（Ｆｒｏｎｔ  Ｌｏａｄｉｎｇ）方式とに大別される。
【０００４】
トップローディング方式の洗濯装置は、洗濯物を上部から投入したり取り出すように構成され、ドラムは垂直に立設される。
【０００５】
また、前記フロントローディング方式の洗濯装置は、洗濯物を前面から投入したり取り出すように構成され、ドラムは、水平に横設される。
【０００６】
この場合、フロントローディング方式の洗濯装置は、必要によって、２以上を積層して使用することができるため、設置空間を最小化できるという長所を有する。
【０００７】
例えば、図１に示すように、ドラム式洗濯機、あるいは、乾燥兼用洗濯機１の上面に、衣類洗濯機２が積層された状態で使用される。もちろん、図示してはいないが、２つのドラム式洗濯機が互いに積層されても良く、２つの衣類乾燥器が互いに積層されても良い。
【発明の開示】
【発明が解決しようとする課題】
【０００８】
しかしながら、上記のように２つの洗濯装置が互いに積層された状態で使用される場合、上側に位置する洗濯装置の操作のためのコントロールパネルが、使用者の身長に比べて相対的に高い所に位置するため、操作が不便であるという問題点があった。
【０００９】
本発明は上記の従来の問題点を解決するためのもので、その目的は、洗濯装置の配置状態に応じてコントロールパネルの結合及び分離操作が便利になるようにした新しい構造の洗濯装置を提供することにある。
【課題を解決するための手段】
【００１０】
上記の目的を達成するための本発明の洗濯装置によれば、外観をなす本体ケースと、前記本体ケースの前面において上側及び／または下側に結合するパネルフレームと、前記パネルフレームの前方に選択的に着脱自在に結合し、運転に必要な各種操作がなされるコントロールパネルと、前記コントロールパネルが前記パネルフレームの前方側から抜け外れるのを防止する抜け防止部と、を備えて構成されることを特徴とする。
【００１１】
ここで、前記前記抜け防止部は、前記パネルフレームの両側のうち少なくともいずれか一側においてその前方に向けて突出して形成された結合ブラケットと、前記結合ブラケット及び前記コントロールパネルの両側にそれぞれ対応して形成される突起部及び凹溝部を備えて構成される。
【００１２】
なお、前記突起部及び凹溝部はそれぞれ少なくとも二つ以上形成されることが好ましい。
【００１３】
一方、前記突起部は前記コントロールパネルに形成され、前記凹溝部は前記結合ブラケットに形成されるようにすることができる。
【００１４】
また、前記突起部は、前記コントロールパネルに一体として形成される支持端と、前記支持端の内側端から下方あるいは上方に折り曲げられた折曲端と、を備えてなり、前記凹溝部は、前記支持端が嵌め込まれる水平入り口と、前記折曲端が嵌め込まれる垂直入り口と、を備えてなることができる。
【００１５】
前記突起部は前記結合ブラケットに形成され、前記凹溝部は前記コントロールパネルに形成されるようにすることができる。
【００１６】
そして、前記突起部は、前記結合ブラケットに一体として形成される支持端と、前記支持端の内側端から下方あるいは上方に折り曲げられた折曲端と、を備えてなり、前記凹溝部は、前記支持端が嵌め込まれる水平入り口と、前記折曲端が嵌め込まれる垂直入り口と、を備えてなるようにすることができる。
【００１７】
ここで、本発明の洗濯装置は、前記コントロールパネルが前記パネルフレームに結合した後に動くのを防止する動き防止部材をさらに備えてなることが好ましい。
【００１８】
前記抜け防止部は、前記コントロールパネルとパネルフレームの一側にそれぞれ対応して形成され、前記動き防止部材は、前記コントロールパネルとパネルフレームの他側にそれぞれ対応して形成されるようにすることができる。
【００１９】
ここで、前記動き防止部材は、前記パネルフレームに設けられる結合ブラケットと、前記結合ブラケットに設けられる結合穴と、前記コントロールパネルにおいて前記結合穴に対応する位置に設けられるねじ穴と、前記ねじ穴と結合穴に締付けられるねじと、を備えてなることができる。
【００２０】
一方、前記ねじが外部から見えないようにねじを隠す隠しキャップをさらに備えることが好ましい。
【００２１】
前記コントロールパネルには結合溝が形成され、前記結合溝にはねじ穴が形成されることができる。
【００２２】
前記結合溝に嵌め込まれ、前記結合溝及びねじを同時に隠す隠しキャップをさらに備えることができる。
【００２３】
ここで、前記結合溝にはヒンジ溝が設けられ、前記隠しキャップには、前記ヒンジ溝に対応してヒンジ突起が設けられ、ヒンジ突起がなすヒンジ軸を中心に回転移動しながら、前記隠しキャップが前記結合溝及びねじを開放したり隠すようにしたりすることができる。
【００２４】
一方、前記結合溝にはヒンジ突起が設けられ、前記隠しキャップには、前記ヒンジ突起に対応してヒンジ溝が設けられ、ヒンジ突起がなすヒンジ軸を中心に回転移動しながら、前記隠しキャップが前記結合溝及びねじを開放したり隠すようにしたりすることができる。
【００２５】
前記結合溝の底面には離脱防止部が設けられ、前記隠しキャップには前記離脱防止部に対応して係合部が設けられ、前記係合部が離脱防止部に引っ掛かったまま枢動しながら、前記隠しキャップが前記結合溝及びねじを開放したり隠すようにしたりすることを特徴とする。
【００２６】
前記隠しキャップには係合溝が設けられ、前記結合溝には係止突起が設けられることが好ましい。
【００２７】
そして、前記隠しキャップには係止突起が設けられ、前記係合溝には係合溝が設けられることができる。
【００２８】
そして、前記パネルフレームは、前記本体ケースの前面において上側及び下側ともにそれぞれ結合し、前記各パネルフレームのうち、前記コントロールパネルが装着されない側のパネルフレームにはそれに選択的に着脱自在に結合するカバーパネルがさらに提供されることができる。
【００２９】
また、前記パネルフレームと前記カバーパネル間の着脱のための構造は、前記パネルフレームと前記コントロールパネル間の着脱のための構造と同一に構成されることができる。
【００３０】
一方、本発明の他の実施例による洗濯装置は、外観をなす本体ケースと、前記本体ケースの前面に結合するパネルフレームと、前記パネルフレームの前方に選択的に着脱自在に結合し、運転に必要な各種操作がなされるコントロールパネルと、前記パネルフレームのいずれか一側端と前記コントロールパネルのいずれか一側内面に互いに対応して形成され、前記コントロールパネルが前記パネルフレームの一側から他側にスライドすることによって結合し、前方から離脱するのを防止する抜け防止部と、前記コントロールパネルの一側に嵌め込まれ、前記コントロールパネルを前記パネルフレームに固定させる動き防止部材と、を備えて構成されることを特徴とする。
【００３１】
ここで、前記パネルフレームの水平端の上面に提供され、前記本体ケースの上面前方側部位を形成するアールデコ調の部分をさらに備えることが好ましい。
【発明の効果】
【００３２】
本発明の実施例による洗濯装置は、コントロールパネルの位置を洗濯装置の配置状態に応じて自由に変更可能できるように構成することによって、洗濯装置の配置状態に関らずに使用者が便利に操作できるという効果を奏する。
【００３３】
特に、本発明の実施例による洗濯装置は、コントロールパネルが装着される部位にパネルフレーム及び下部パネルフレームを提供することによって、洗濯装置の内部からの高温の熱気や水分などに対してコントロールパネルが安定的であるという効果を有する。
【００３４】
また、本発明の実施例による洗濯装置の下部パネルフレームは、本体ケースに容易に装着できるだけでなく、安定した装着が可能なので、コントロールパネルの位置変更による使用者の不便を防止できるという効果を有する。
【００３５】
また、コントロールパネルを本体に結合する時には、ねじの締付けられた様子を外部から見えなくようにし、見栄えを良くするという効果を奏する。
【００３６】
また、このようにねじを覆う隠しキャップを、コントロールパネルの一側に、完全分離式ではなく枢転可能な締付け構造とし、コントロールパネルの組立及び分離時に隠しキャップの紛失の危険をなくすことができる。
【００３７】
また、本発明による洗濯装置は、積層設置時に、コントロールパネルを操作が便利なように外部ケースの上部と下部に両者択一的に設置することができ、使い勝手の良さを向上させることができる。
【発明を実施するための最良の形態】
【００３８】
以下、添付の図面を参照しつつ、本発明による洗濯装置の好適な実施例について詳細に説明する。
【００３９】
まず、添付の図２〜図６を参照しつつ、本発明の第１実施例による洗濯装置についてより詳細に説明する。
【００４０】
図２及び図３に示すように、本発明の第１実施例による洗濯装置は、大きく、本体ケース１００と、パネルフレーム２００と、コントロールパネル３００と、抜け防止部を含んで構成される。
【００４１】
まず、本体ケース１００について説明する。
【００４２】
本体ケース１００は、両側面を形成するサイドキャビネット１１０と、前面を形成するカバーキャビネット１２０と、上面を形成する天板部１３０とを含んで構成される。
【００４３】
ここで、本体ケース１００の前面の上端及び下端は、開口して形成される。
【００４４】
次に、パネルフレーム２００について説明する。
【００４５】
パネルフレーム２００は、コントロールパネル３００が設置される部位で、図３に示すように、本体ケース１００の開口した前面上端に設置される。
【００４６】
ここで、パネルフレーム２００は、本体ケース１００の開口した前面上端を遮蔽する胴体部２１０と、胴体部２１０の上端縁に沿って前方側に向けて折り曲げられながらコントロールパネル３００の内側上面と結合する上側縁部２２０とを含んでなる。
【００４７】
また、本発明の実施例では、本体ケース１００の開口した前面下部（カバーキャビネットの下端）にもパネルフレーム（以下、“下部パネルフレーム”という。）（図示せず）がさらに設置される。
【００４８】
この場合、下部パネルフレームは、コントロールパネル３００が本体ケース１００の前面下部に設置される時に、その結合が安定的に行われるようにすると同時に、本体ケース１００の内部から放出される熱気や湿気などがコントロールパネル３００に伝達されるのを遮断する役割を果たす。
【００４９】
次に、コントロールパネル３００について説明する。
【００５０】
コントロールパネル３００は、運転に必要な各種操作が行われる部位である。
【００５１】
ここで、コントロールパネル３００は、図２及び図３に示すように、パネルフレーム２００の全周部を取り囲みながら、パネルフレーム２００の前方、あるいは、下部パネルフレームの前方に選択的に着脱自在に設けられる。
【００５２】
なお、コントロールパネル３００の前面には、複数の選択ボタン３１０と操作ダイヤル３２０が備えられ、その背面には回路基板（図示せず）が設置される。
【００５３】
次に、抜け防止部について説明する。
【００５４】
この抜け防止部は、コントロールパネル３００とパネルフレーム２００とを結合させる役割と共に、コントロールパネル３００がパネルフレーム２００の前方側から抜け外れるのを防止する役割を果たすものである。
【００５５】
ここで、抜け防止部は、パネルフレーム２００のいずれか一側端とコントロールパネル３００のいずれか一側内面に、互いに対応するようにして形成される。
【００５６】
本発明の第１実施例では、抜け防止部が、図３に示すように、コントロールパネル３００に形成される突起部４１０と、パネルフレーム２００に形成される結合ブラケット４２０，４３０及び凹溝部４４０と、からなる構成を提示する。
【００５７】
ここで、突起部４１０は、コントロールパネル３００の各部位のうち、背面両側にそれぞれ形成される。
【００５８】
なお、突起部４１０は、コントロールパネル３００に一体として形成される支持端４１１と、この支持端４１１の内側端から下方（あるいは、上方）に折り曲げられた折曲端４１２とからなる。
【００５９】
ここで、支持端４１１は、略薄い板状に形成され、その前面はコントロールパネル３００の背面に一体として形成され、その側面はコントロールパネル３００の側面内壁に一体として形成される。
【００６０】
また、結合ブラケット４２０，４３０は、パネルフレーム２００の両側からその前方に向けて突出するようにそれぞれ形成され、凹溝部４４０は、両側の結合ブラケット４２０，４３０のうち、コントロールパネル３００の突起部４１０と対応する側の結合ブラケット（以下、“第１結合ブラケット”という。）４２０に形成される。
【００６１】
凹溝部４４０は、第１結合ブラケット４２０の末端に至るまで切欠されたスリットで形成される。
【００６２】
なお、凹溝部４４０は、突起部４１０の支持端４１１が嵌め込まれる水平入り口４４１と、突起部４１０の折曲端４１２が嵌め込まれる垂直入り口４４２とからなる。
【００６３】
この場合、凹溝部４４０の切欠幅は、支持端４１１が円滑に嵌め込まれるような幅にする。
【００６４】
特に、上記の突起部４１０と凹溝部４４０はそれぞれ、少なくとも２以上が互いに対応する個数で形成されることが好ましい。
【００６５】
また、両結合ブラケット４２０，４３０のうち、凹溝部４４０が形成されない側の結合ブラケット（以下、“第２結合ブラケット”という。）４３０と、それに対応するコントロールパネル３００の側面には、コントロールパネル３００が両側方向に動くのを防止するための動き防止部がさらに備えられる。
【００６６】
ここで、動き防止部は、様々に形成されることができるが、本発明の第１実施例では、動き防止部が第２結合ブラケット４３０とコントロールパネル３００の側面とを締付けるねじ５４０で構成されている。
【００６７】
一方、本発明の第１実施例では、図３及び図２０に示すように、カバーパネル７００がさらに備えられることができる。
【００６８】
ここで、カバーパネル７００は、パネルフレーム２００及び下部パネルフレーム（図示せず）の前方のうちのいずれか一方にコントロールパネル３００が結合する場合、いずれか他方のパネルフレームの前方に結合する。
【００６９】
上記のカバーパネル７００の全般的な形状及びパネルフレーム２００との結合は、上記のコントロールパネル３００と同一にすれば良く、ただし、選択ボタン３１０、操作ダイヤル３２０及び回路基板（図示せず）は備えられないようにすることが好ましい。
【００７０】
もちろん、カバーパネル７００にも、選択ボタン３１０、操作ダイヤル３２０及び回路基板（図示せず）が備えられても良く、その他の図案（例えば、商標等）などがプリントされても良い。
【００７１】
このカバーパネル７００は、コントロールパネル３００が装着されない部位が外部に露出されるのを防止し、外観に対する使用者の不満を防止できるようにする役割を担う。
【００７２】
続いて、本発明の実施例による洗濯装置のパネルフレーム２００にコントロールパネル３００を結合する過程について、図４及び図５を参照して具体的に説明する。
【００７３】
まず、コントロールパネル３００の中突起部４１０が形成された側の内壁面をパネルフレーム２００の第１結合ブラケット４２０の外壁面に触れる程度に近接させた後、コントロールパネル３００をパネルフレーム２００に押しつけて入れる。
【００７４】
こうすると、図４に示すように、第１結合ブラケット４２０に形成された凹溝部４４０の水平入り口４４１の内部に突起部４１０の支持端４１１が挿入された状態となる。
【００７５】
この時、突起部４１０の折曲端４１２は、凹溝部４４０の垂直入り口４４２から隔たった状態であり、コントロールパネル３００は自由に前後移動可能な状態である。
【００７６】
続いて、上記の状態で、折曲端４１２が垂直入り口４４２内に位置するように、コントロールパネル３００を移動（図面上、左側方向に移動）させる。
【００７７】
こうすると、図５に示すように、コントロールパネル３００に形成された折曲端４１２は、第１結合ブラケット４２０に形成された垂直入り口４４２内に位置する。
【００７８】
これによって、コントロールパネル３００はパネルフレーム２００の前方側に向けて移動されない状態となる。
【００７９】
また、この時には、コントロールパネル３００の両側のうち、反対側（図面上、右側）の内壁面が、第２結合ブラケット４３０の外壁面に密着した状態となる。
【００８０】
以降、コントロールパネル３００の両側のうちの右側面と第２結合ブラケット４３０とをねじ５４０で締付けることによって、コントロールパネル３００が両側方向に動くのが防止される。
【００８１】
次に、前述のように構成される本発明の第１実施例による洗濯装置の配置状態に応じてコントロールパネル３００の設置位置を選択的に変更する過程についてより具体的に説明する。
【００８２】
まず、洗濯装置が他の洗濯装置の一側に配置されたり、単独で使用されたりする時には、図２に示すように、コントロールパネル３００は本体ケース１００の前面の上側部位に取り付けられる。
【００８３】
この場合、本体ケース１００の前面の下側部位である下部パネルフレーム（図示せず）の前方には、カバーパネル７００が取り付けられる。
【００８４】
一方、上記の洗濯装置が他の洗濯装置の上側に積層される時には、図２０に示すように、コントロールパネル３００を本体ケース１００の前面の下側部位に取り付けることが好ましい。
【００８５】
このため、コントロールパネル３００を本体ケース１００の前面の上側部位に備えられたパネルフレーム２００から分離する。
【００８６】
この時、コントロールパネル３００の分離過程は、コントロールパネル３００をパネルフレーム２００に結合する上記の一連の過程の逆順にすれば良く、その詳細は下記の通りである。
【００８７】
まず、コントロールパネル３００の右側面に結合したねじ５４０を分離し、コントロールパネル３００の右側面が第２結合ブラケット４３０から自由な状態とする。
【００８８】
この状態で、コントロールパネル３００を図面において右側方向へ移動させる。
【００８９】
こうすると、コントロールパネル３００の右側面は第２結合ブラケット４３０から隔たりながら、コントロールパネル３００に形成された突起部４１０の折曲端４１２は、第１結合ブラケット４２０の凹溝部４４０を構成する垂直入り口４４２から取り外される。
【００９０】
これにより、コントロールパネル３００は、第１結合ブラケット４２０及び第２結合ブラケット４３０から自由な状態となり、コントロールパネル３００を前方に引き出すことで、コントロールパネル３００の分離が完了する。
【００９１】
前述のコントロールパネル３００の分離が完了すると、カバーパネル７００を下部パネルフレーム（図示せず）から取り外す。
【００９２】
この時、カバーパネル７００を下部パネルフレームから取り外す一連の過程は、前述したコントロールパネル３００をパネルフレーム２００から取り外す一連の過程と同一にして行う。
【００９３】
もちろん、カバーパネル７００を、下部パネルフレームから取り外す過程は、コントロールパネル３００をパネルフレーム２００から取り外す過程の前に行っても良い。
【００９４】
このようにしてコントロールパネル３００とカバーパネル７００との分離が完了すると、コントロールパネル３００は、下部パネルフレームの前方に結合させ、カバーパネル７００は、パネルフレーム２００の前方に結合させる。
【００９５】
この時、コントロールパネル３００と下部パネルフレーム間の結合及びカバーパネル７００とパネルフレーム２００間の結合のための一連の過程は、既に説明した通りである。
【００９６】
特に、コントロールパネル３００を下部パネルフレームに結合する前には、回路基板（図示せず）に連結した各種電線を本体ケース１００内の各種電源、あるいは、信号連結端子に連結することが好ましい。
【００９７】
このような一連の過程により、コントロールパネル３００は、本体ケース１００の前面下側に位置し、これにより、該当の洗濯装置が使用者の身長に比べて高く位置しても、コントロールパネル３００は、使用者が便利に操作できる位置となる。
【００９８】
もし、上記の状態で、上記洗濯装置を再び個別に配置して使用したり、あるいは、他の洗濯装置の一側に配置して使用しようとする場合には、前述した一連の過程（コントロールパネルを下部パネルフレームに結合する一連の過程）とは逆順にしてコントロールパネル３００をパネルフレーム２００に結合すればよい。
【００９９】
一方、本発明による洗濯装置において、抜け防止部は、前述した実施例に限定されることはない。
【０１００】
例えば、抜け防止部の突起部４１０をパネルフレーム２００に形成し、凹溝部４４０はコントロールパネル３００に形成しても良い。
【０１０１】
以下、本発明の第２実施例による洗濯装置について説明する。
【０１０２】
一方、下記の本発明の第２実施例において第１実施例と同じ構成要素には同じ図面符号を付し、第１実施例で既に詳細に説明した部分についての詳細な説明は省略するものとする。
【０１０３】
まず、図６を参照すると、本発明の第２実施例による洗濯装置は、コントロールパネル３００及びパネルフレーム２００の両側ともに抜け防止部が備えられている。
【０１０４】
すなわち、この場合にも、抜け防止部は、コントロールパネル３００とパネルフレーム２００とを結合させる役割を果たすと同時に、コントロールパネル３００がパネルフレーム２００の前方側に抜け外れるのを防止する役割を果たすように構成される。
【０１０５】
この場合にも、第１実施例と同様に、抜け防止部は、パネルフレーム２００の両側端とコントロールパネル３００の両側内部に互いに対応するように形成され、コントロールパネル３００をいずれか一側に移動させる場合、互いに一致して結合するか、あるいは、互いに隔たって抜け外れるように構成される。
【０１０６】
本発明の第２実施例では、抜け防止部が、図３に示すようなコントロールパネル３００の両側内部に形成される突起部４１０，４２０と、パネルフレーム２００の両側端に形成される１対の結合ブラケット４３０，４４０と、突起部４１０，４２０に対応するように形成された凹溝部４５０，４６０とを含んで構成される。
【０１０７】
ここで、突起部４１０，４２０は、図６に示すように、コントロールパネル３００の背面において右側に形成される第１突起部４１０と、左側に形成される第２突起部４２０とを含んで構成される。
【０１０８】
ここで、各突起部４１０，４２０は、コントロールパネル３００に一体として形成される支持端４１１，４２１と、支持端４１１，４２１のいずれか一側端から下方（あるいは、上方）に折り曲げられた折曲端４１２，４２２とを含んでなる。
【０１０９】
ここで、支持端４１１，４２１は、略薄い板状に形成され、その前面はコントロールパネル３００の背面に一体として形成されると同時に、その側面はコントロールパネル３００の側面内壁に一体として形成される。
【０１１０】
また、結合ブラケット４３０，４４０は、パネルフレーム２００の両側からその前方に向けて突出してそれぞれ形成される。
【０１１１】
ここで、結合ブラケット４３０，４４０は、図３に示すように、パネルフレーム２００を前方側から見た時、左側に形成される第１結合ブラケット４３０と、右側に形成される第２結合ブラケット４４０をとからなる。
【０１１２】
なお、凹溝部４５０，４６０は、各結合ブラケット４３０，４４０にそれぞれ形成され、第１結合ブラケット４３０に形成される第１凹溝部４５０と、第２結合ブラケット４４０に形成される第２凹溝部４６０とからなる。
【０１１３】
前記第１凹溝部４５０は、第１結合ブラケット４３０の末端に達するまで切欠されたスリットで形成され、第１突起部４１０の支持端４１１が嵌め込まれる水平入り口４５１と、第１突起部４１０の折曲端４１２が嵌め込まれる垂直入り口４５２と、からなる。
【０１１４】
また、第２凹溝部４６０は、第２結合ブラケット４４０の末端に達するまで切欠されたスリットで形成され、第２突起部４２０の支持端４２１が嵌め込まれる水平入り口４６１と、第２突起部４２０の折曲端４２２が嵌め込まれる垂直入り口４６２と、からなる。
【０１１５】
ここで、各凹溝部４５０，４６０の切欠幅は、各支持端４１１，４２１が円滑に挿入されるような幅に形成される。
【０１１６】
特に、上記各突起部４１０，４２０と各凹溝部４５０，４６０はそれぞれ、少なくとも２つ以上が互いに対応する個数で形成されることが好ましい。
【０１１７】
一方、本発明の第２実施例による洗濯装置においても、第１実施例と同様にカバーパネル７００がさらに備えられる。
【０１１８】
次に、本実施例による洗濯装置のパネルフレーム２００にコントロールパネル３００を結合する過程について、図７〜図１０を参照しつつ具体的に説明する。
【０１１９】
まず、コントロールパネル３００において第１突起部４１０が形成された側の内壁面を、パネルフレーム２００の第１結合ブラケット４３０の外壁面に触れる程度に近接させた後、コントロールパネル３００をパネルフレーム２００に押し付けて入れる。
【０１２０】
こうすると、図７及び図９に示すように、第１結合ブラケット４３０に形成された第１凹溝部４５０の水平入り口４５１の内部に第１突起部４１０の支持端４１１が挿入された状態となると同時に、第２結合ブラケット４４０に形成された第２凹溝部４６０の水平入り口４６１の内部に第２突起部４２０の支持端４２１が挿入された状態となる。
【０１２１】
このとき、第１突起部４１０の折曲端４１２は第１凹溝部４５０の垂直入り口４５２から隔たった状態であると同時に、第２突起部４２０の折曲端４２２も第２凹溝部４６０の垂直入り口４６２から隔たった状態であり、コントロールパネル３００は自由に前後移動可能な状態である。
【０１２２】
以降、上記の状態で、図７の矢印方向（左側方向）にコントロールパネル３００を移動させる。
【０１２３】
こうすると、図８及び図１０に示すように、第１突起部４１０の折曲端４１２は、第１凹溝部４５０の垂直入り口４５２内に位置すると同時に、第２突起部４２０の折曲端４２２は第２凹溝部４６０の垂直入り口４６２内に位置する。
【０１２４】
これにより、コントロールパネル３００はパネルフレーム２００の前方側に向けて移動できない状態となりながら、コントロールパネル３００の固定が完了する。
【０１２５】
次に、前述のように構成される本実施例による洗濯装置において、配置状態に応じてコントロールパネル３００の設置位置を選択的に変更する過程についてより具体的に説明する。
【０１２６】
まず、洗濯装置が他の洗濯装置の一側に配置されたり、単独で使用されたりする時には、図２に示すように、コントロールパネル３００は、本体ケース１００の前面の上側部位に取り付けられる。
【０１２７】
この時、本体ケース１００の前面の下側部位である下部パネルフレーム（図示せず）の前方にはカバーパネル７００が取り付けられる。
【０１２８】
この場合、上記のコントロールパネル３００の分離過程は、コントロールパネル３００をパネルフレーム２００に結合させる一連の過程の逆順にして行えば良く、これについて具体的に説明すると、下記の通りである。
【０１２９】
まず、図１０に示す状態で、コントロールパネル３００を図面において左側方向（図７の方向から見る時には、右側方向）に移動させる。
【０１３０】
この場合、コントロールパネル３００に形成された第１突起部４１０の折曲端４１２は、第１凹溝部４５０を構成する垂直入り口４５２から取り外され、第２突起部４２０の折曲端４２２は、第２凹溝部４６０を構成する垂直入り口４６２から取り外される。
【０１３１】
これは、図９に示す状態である。
【０１３２】
したがって、コントロールパネル３００は、第１結合ブラケット４３０及び第２結合ブラケット４４０から自由な状態となり、この状態でコントロールパネル３００を前方に引き出すことで、コントロールパネル３００の分離が完了する。
【０１３３】
このようにしてコントロールパネル３００の分離が完了すると、カバーパネル７００を下部パネルフレーム（図示せず）から取り外す。
【０１３４】
この時、カバーパネル７００を下部パネルフレームから取り外す一連の過程は、前述したコントロールパネル３００をパネルフレーム２００から取り外す一連の過程と同一にする。
【０１３５】
もちろん、カバーパネル７００を下部パネルフレームから取り外す過程は、コントロールパネル３００をパネルフレーム２００から取り外す過程の前に行っても良い。
【０１３６】
このようにしてコントロールパネル３００とカバーパネル７００との分離が完了すると、コントロールパネル３００は下部パネルフレームの前方に結合させ、カバーパネル７００はパネルフレーム２００の前方に結合させる。
【０１３７】
この時、コントロールパネル３００と下部パネルフレームとの結合及びカバーパネル７００とパネルフレーム２００との結合のための一連の過程は、既に説明した通りである。
【０１３８】
一方、図示してはいないが、本発明の第１実施例または第２実施例と違い、コントロールパネルの一側には、背面側に向けて突片が形成されるようにし、この突片に対応してパネルフレームの一側には、コントロールパネルをパネルフレームの前面上において一側から他側に移動させる際に突片が挿入される挿入溝が形成された結合ブラケットを備え、また、他側のコントロールパネルとパネルフレームはねじで固定し、コントロールパネルがパネルフレーム上に固定されるようにする構成も可能である。
【０１３９】
一方、コントロールパネルをパネルフレームに完全に固定させる動き防止部材を、本発明の第１実施例による洗濯装置を示す図３ではねじとした。
【０１４０】
このようにねじにてコントロールパネルをパネルフレームに固定する構造は、本発明の第２実施例による洗濯装置にも適用可能であることは無論である。
【０１４１】
一方、図３及び図１１〜図１９に示すように、見栄えをよくするために、動き防止部材であるねじに隠しキャップを被せ、外部からねじが見えないようにすることが好ましい。
【０１４２】
以下、上記のように構成された本発明の各実施例において、コントロールパネルをパネルフレーム上に固定させる動き防止部材として使われるねじを隠す隠しキャップの様々な形態について説明する。
【０１４３】
まず、図１１及び図１２を参照して、ねじを隠す隠しキャップの第１形態について説明する。
【０１４４】
なお、以下では、本発明の第１実施例による洗濯装置を示す図３を参照して、隠しキャップの第１形態を説明する。
【０１４５】
図３を参照すると、パネルフレーム２００の一側には、前方に垂直に結合ブラケット４３０が設けられ、結合ブラケット４３０には第１締付け穴４３４が形成される。
【０１４６】
そして、第１締付け穴４３４に対応する位置に、コントロールパネル３００の一側には第２締付け穴５３４が形成される。
【０１４７】
一方、第２締付け穴５３４が形成された部位の周辺には、隠しキャップ５００の嵌め付けのための凹溝５３５が形成される。
【０１４８】
ここで、凹溝５３５の内周面には掛止突部５３４ａが形成される。
【０１４９】
この時、掛止突部５３４ａは、凹溝５３５の内周面の一部分にのみ形成されることが好ましい。
【０１５０】
これは、後述する隠しキャップ５００の掛止フック５５１が、凹溝５３５の内周面に沿って回転しながら掛止突部５３４ａに選択的に掛かるようにするためである。
【０１５１】
この時、第２締付け穴５３４と凹溝５３５は、コントロールパネル３００の両側面ともに形成されるようにしても良く、第２締付け穴５３４はねじなどが締付けられうるように、ねじ穴とすることがより好ましい。
【０１５２】
これは、コントロールパネル３００が、パネルフレーム２００に設けられたブラケット４３０により強固にねじ結合できるようにするためである。
【０１５３】
そして、動き防止部材５４０は、コントロールパネル３００を、パネルフレーム２００に設けられた結合ブラケット４３０に結合させる役割を果たす。
【０１５４】
ここで、動き防止部材５４０は、コントロールパネル３００に形成された第２締付け穴５３４と、ブラケット４３０に形成された第１締付け穴４３４とを連通しながらねじ結合できるようにボルトまたはねじからなる。
【０１５５】
そして、隠しキャップ５００は、ねじ５４０がコントロールパネル３００をブラケット４３０に結合させた状態で洗濯装置の外部に露出されるのを防止する役割を果たす。
【０１５６】
なお、隠しキャップ５００は、凹溝５３５の内周面に形成された掛止突部５３４ａに掛け止められるように掛止フック５５１を有することが好ましい。
【０１５７】
これは、ねじ５４０が洗濯装置から露出されるのを防止するために、隠しキャップ５００を凹溝５３５に嵌め付けた時、該隠しキャップ５００が容易に抜け外れるのを防止するためである。
【０１５８】
また、隠しキャップ５００が凹溝５３５に嵌め付けられた時、洗濯装置の外部に露出される隠しキャップ５００の面には取っ手溝５２５が形成されることが好ましい。
【０１５９】
これは、隠しキャップ５００を凹溝５３５に嵌め込んだ後、隠しキャップ５００が凹溝５３５から抜け外れないように、凹溝５３５の内周面に沿って隠しキャップ５００を回転させる時に、硬貨などの回転部材を用いて隠しキャップ５００を容易に回転させるためである。
【０１６０】
ここで、隠しキャップ５００の材質は、ゴム、樹脂、あるいは、金属とすることができる。
【０１６１】
以下、上記の構成により、コントロールパネル３００がパネルフレーム２００に結合した状態について説明する。
【０１６２】
まず、コントロールパネル３００の両側面に形成された第２締付け穴５３４を、ブラケット４３０に形成された第１締付け穴４３４に対応させる。
【０１６３】
この時、第２締付け穴５３４の周辺に形成された凹溝５３５と、第１締付け穴４３４は一直線上に位置するようになる。
【０１６４】
次に、ボルトまたはねじなどの動き防止部材を、一直線上に位置している凹溝５３５、第２締付け穴５３４、第１締付け穴４３４を貫通させながらねじ結合させる。
【０１６５】
次に、隠しキャップ５００を凹溝５３５に嵌め付ける。
【０１６６】
この時、隠しキャップ５００の掛止フック５５１は、凹溝５３５の掛止突部５３４ａが形成されていない内周面に沿って挿入させる。
【０１６７】
以降、隠しキャップ５００の露出面に形成された取っ手溝５２に硬貨などの回転部材を挿入して半回転させる。
【０１６８】
これにより、隠しキャップ５００が回転しながら、図４に示すように、凹溝５３５の掛止突部５３４ａに掛止フック５５１が掛け止められる。
【０１６９】
これで、動き防止部材４０は洗濯装置において外部への露出が防止される。
【０１７０】
一方、コントロールパネル３００を洗濯装置から取り外す時には、上記の結合過程を逆順に進行させるべきということは容易に理解できる。
以上、本発明の動き防止部材の第１形態として、コントロールパネルをパネルフレームに結合させた動き防止部材が、洗濯装置の外部に露出されるのを防止するために、掛止フックが形成された隠しキャップを、掛止突部が形成された凹溝に嵌め付けた構造について説明した。
【０１７１】
次に、図１３及び図１４を参照して、本発明の洗濯装置のねじを隠す隠しキャップの第２形態について説明する。
【０１７２】
図１３及び図１４は、コントロールパネルに隠しキャップが設置された要部を分解して示す斜視図である。
【０１７３】
一方、コントロールパネルと隠しキャップ以外の他の構成要素は、本発明の第１実施例による洗濯装置の構成と同一なので、以下では第１実施例及び第１形態の洗濯装置と異なる部分についてのみ説明する。
【０１７４】
図３に示すように、コントロールパネル３００の両側面には、動き防止部材の締付け例の一形態と同じ構成の第２締付け穴５３４が形成され、第２締付け穴５３４の周辺に凹溝６１が形成される。
【０１７５】
ここで、凹溝６１の内周面は雌ねじで形成される。
【０１７６】
そして、隠しキャップ７０は円柱状に形成され、隠しキャップ７０の外周面は、凹溝６１にねじ結合されるように雄ねじで形成される。
【０１７７】
ここで、隠しキャップ７０の外周面がねじとなるように、隠しキャップ７０の材質は、樹脂あるいは金属とすることが好ましい。
【０１７８】
なお、洗濯装置の外部に向かう隠しキャップ７０の露出面には、取っ手溝７１が形成されることが好ましい。
【０１７９】
これは、使用者が隠しキャップ７０を凹溝６１にねじ結合させるために隠しキャップ７０を回転させる時に、容易に回転させるようにするためである。
【０１８０】
次いで、上記のように構成される洗濯装置のコントロールパネルとパネルフレームとの結合過程について説明する。
【０１８１】
まず、コントロールパネル３００の第２締付け穴５３４とブラケット４３０の第１締付け穴４３４を対応させた後、動き防止部材４０を第２締付け穴５３４と第１締付け穴４３４とを貫通させてねじ結合させる。
【０１８２】
続いて、動き防止部材４０が洗濯装置の外部に露出されないように、隠しキャップ７０を凹溝６１にねじ結合させる。
【０１８３】
この時、隠しキャップ７０を容易に回転させるには、隠しキャップ７０の取っ手溝７１に硬貨などの回転部材を挿入して回転させることが好ましい。
【０１８４】
これで、この実施例による洗濯装置のコントロールパネル３００とパネルフレーム２００との結合が完了する。
【０１８５】
一方、図１５〜図１９には、本発明の各実施例による洗濯装置に備えられるねじを隠す隠しキャップの第３形態及び第４形態を示す。
【０１８６】
まず、図１５〜図１７を参照して、動き防止部材を隠す隠しキャップの第３形態についてより詳細に説明する。
【０１８７】
本発明による洗濯装置の動き防止部材を隠す隠しキャップの第３形態は、パネルフレーム２００にねじ結合によって締付けられるように、内部底面にはねじ穴８８が形成されると同時に、その内壁外側に沿っては安着段３２０が形成された結合溝２００を備えるコントロールパネル３００と、このコントロールパネル３００の一側にヒンジ手段によって回転可能に設置され、結合溝２００を開閉する隠しキャップ５５５と、を含んでなる。
【０１８８】
なお、パネルフレーム３００には、コントロールパネル３００のねじ穴８８に対応する位置に結合するように、結合フレーム４３０が前方に折り曲げられた構造で形成される。
【０１８９】
そして、結合フレーム４３０には、コントロールパネル３００がパネルフレーム２００にねじ結合するように、第１締付け穴４３３が形成され、コントロールパネル３００にも図１６に示すように、パネルフレーム２００の第１締付け穴４３３に対応してねじ穴８８が形成され、この時、コントロールパネル３００のねじ穴８８は、隠しキャップ５５５によって、内部に締付けられる動き防止部材であるねじが隠されるようにして提供される。
【０１９０】
一方、図１６を参照すると、コントロールパネル３００の一側には結合溝２００が形成され、その底面にねじ穴８８が形成される。
【０１９１】
また、コントロールパネル３００の両側に結合溝２００が形成され、その底面にねじ穴８８がそれぞれ形成されるようにしても良い。
【０１９２】
そして、コントロールパネル３００の結合溝２００には、その周面上に一対のヒンジ溝２２１が形成され、これらヒンジ溝２２１に対応するように隠しキャップ５５５には一対のヒンジ突起１２１が形成される。
【０１９３】
なお、隠しキャップ５５５のヒンジ突起１２１は、ヒンジ溝２２１に挿入されてヒンジ軸を形成するようにして形成されたヒンジ軸を中心に枢動可能になる。
【０１９４】
図示してはいないが、図１６に示す構造とは反対の構造、すなわち、隠しキャップ５５５にその周面上にヒンジ溝（図示せず）が形成され、該ヒンジ溝に対応するように結合溝２００にヒンジ突起（図示せず）が形成されるようにしても良い。
【０１９５】
一方、図１６に示すように、隠しキャップ５５５には係止突起１１１が形成され、結合溝２００には係止突起１１１に対応して係合溝２１１が形成され、隠しキャップ５５５の開閉時に固定を可能にする。
【０１９６】
図示してはいないが、この場合にも、逆に、キャップに係合溝が形成され、この係合溝に対応して結合溝２００には係止突起が形成されるようにしても良い。
【０１９７】
上記のように構成された本発明の洗濯装置のねじを隠す隠しキャップの第３形態の作動過程について、添付の図面を参照しつつ説明すると、下記の通りである。
【０１９８】
まず、隠しキャップ５５５の後方側を、図１７に示す矢印方向に一定外力以上で加圧し、隠しキャップ５５５の係止突起１１１が係合溝２１１から取り外されるようにする。
【０１９９】
こうなると、ヒンジ突起１２１が形成するヒンジ軸を中心に隠しキャップ５５５が枢動可能になり、隠しキャップ５５５の枢動によって結合溝２００の内部が開放される。
【０２００】
すなわち、コントロールパネル３００がパネルフレーム３００に動き防止部材であるねじによって結合している状態であれば、開放された結合溝２００のねじ穴８８にはねじが締付けられた構造となっている。
【０２０１】
ちなみに、図１６及び図１７には、ねじが締付けられていないコントロールパネル３００の結合溝２００の構造が示されている。
【０２０２】
一方、ねじによってパネルフレームにコントロールパネルが結合した状態であれば、ドライバーなどの工具を用いてねじを取り外すことで、コントロールパネルをパネルフレームから分離可能になる。
【０２０３】
そして、このようなコントロールパネルの分離作業時に、隠しキャップ５５５はコントロールパネル３００とのヒンジ結合状態を維持するので、別に保管しておく必要がなく、以降、ねじを用いてコントロールパネル３００とパネルフレーム３００とを再び結合させる場合には、隠しキャップ５５５の係止突起１１１が係合溝２１１に係止されるように隠しキャップ５５５を閉じることで、結合溝２００が外部に露出されないようにすることができる。
【０２０４】
一方、図１８及び図１９は、本発明の各実施例による洗濯装置において、ねじを隠す隠しキャップの第４形態を示す図である。
【０２０５】
まず、図１８に示すように、コントロールパネル３００の結合溝３８０には、係止フック１５０が備えられ、隠しキャップ５５５には、係止フック１５０が引っ掛って回転可能なようにする係合部３３０が備えられる。
【０２０６】
ここで、結合溝３８０の周縁部には、キャップが掛け止められる安着段３２０が形成され、この安着段３２０の一部は、隠しキャップ５５５の開閉時の回転をガイドするように内側に一定角度で傾斜して形成される。
【０２０７】
そして、隠しキャップ５５５には、係止突起１６０が備えられ、この係止突起１６０に対応して結合溝３００には係合溝３６０が備えられる。
【０２０８】
一方、この場合にも、別に図示してはいないが、前記とは逆に、隠しキャップ５５５には係合溝が備えられ、この係合溝に対応して結合溝３００には係止突起が備えられるようにしても良い。
【０２０９】
上記のように構成された本発明の各実施例による洗濯装置においてねじを隠す隠しキャップの第４形態による作用について説明すると、下記の通りである。
図１９に示すように、隠しキャップ５５５の係止突起１６０が形成された側の反対側の部分を加圧すると、係止フック１５０が係合部３３０に引っ掛っているので、着座段３２０の傾斜面が始まる部位を中心に枢動し出す。
すなわち、隠しキャップ５５５が安着するように形成された結合溝３００の周縁部の着座段３２０の傾斜面に安着するように枢動する。
【０２１０】
その後、係止フック１５０が係合部３２０に引っ掛った状態を維持しながら係合部３３０に沿って所定長さだけ後側に下降しながら結合溝３００が開放される。
【０２１１】
この場合にも、第１実施例と同様に、開放された結合溝のねじを外したり結合する場合に、ねじ及び結合溝が外部から見えないようにすることができ、キャップの紛失も防止することができる。
【０２１２】
上記のような隠しキャップ構造を備えたコントロールパネルは、隠しキャップがコントロールパネルから分離されないように結合されているので、コントロールパネルを洗濯装置から分離する時に別にキャップを保管しなくて済み、紛失の危険を減らすことができる。
【図面の簡単な説明】
【０２１３】
【図１】従来の一般的な２種類の洗濯装置が積層された状態を説明するための斜視図である。
【図２】本発明の実施例による洗濯装置の外観状態を説明するための斜視図である。
【図３】本発明の実施例による洗濯装置において、本体ケースの上部にパネルフレームが装着された状態及び前記パネルフレームにコントロールパネルが装着された状態を説明するための要部分解斜視図である。
【図４】本発明の実施例による洗濯装置において、コントロールパネルとパネルフレーム間の着脱過程を説明するための要部拡大斜視図である。
【図５】本発明の実施例による洗濯装置において、コントロールパネルとパネルフレーム間の着脱過程を説明するための別の要部拡大斜視図である。
【図６】本発明の実施例による洗濯装置において、本体ケースの上部にパネルフレームが装着された状態及び前記パネルフレームにコントロールパネルが装着された状態を説明するための要部分解斜視図である。
【図７】本発明の実施例による洗濯装置において、コントロールパネルとパネルフレーム間の着脱過程を説明するための要部拡大斜視図である。
【図８】本発明の実施例による洗濯装置において、コントロールパネルとパネルフレーム間の着脱過程を説明するための別の要部拡大斜視図である。
【図９】本発明の実施例による洗濯装置において、コントロールパネルとパネルフレーム間の着脱過程を説明するためのコントロールパネルの背面図である。
【図１０】本発明の実施例による洗濯装置において、コントロールパネルとパネルフレーム間の着脱過程を説明するためのコントロールパネルの別の背面図である。
【図１１】本発明の実施例による洗濯装置において、流動防止部材を隠す隠しキャップの第１形態を示す分解斜視図である。
【図１２】本発明の実施例による洗濯装置において、流動防止部材を隠す隠しキャップの第１形態を示す断面図である。
【図１３】本発明の実施例による洗濯装置において、流動防止部材を隠す隠しキャップの第２形態を示す分解斜視図である。
【図１４】本発明の実施例による洗濯装置において、流動防止部材を隠す隠しキャップの第２形態を示す断面図である。
【図１５】第３形態及び第４形態による流動防止部材を隠す隠しキャップが備えられた洗濯装置を示す斜視図である。
【図１６】本発明の実施例による洗濯装置において、流動防止部材を隠す隠しキャップの第３形態を示す分解斜視図である。
【図１７】本発明の実施例による洗濯装置において、流動防止部材を隠す隠しキャップの第３形態を示す断面図である。
【図１８】本発明の実施例による洗濯装置において、流動防止部材を隠す隠しキャップの第４形態を示す分解斜視図である。
【図１９】本発明の実施例による洗濯装置において、流動防止部材を隠す隠しキャップの第４形態を示す断面図である。
【図２０】本発明の実施例による洗濯装置が他の洗濯装置の上側に積層された状態を示す斜視図である。
【図１】
2009520565.tif 000003
【図２】
2009520565.tif 000004
【図３】
2009520565.tif 000005
【図４】
2009520565.tif 000006
【図５】
2009520565.tif 000007
【図６】
2009520565.tif 000008
【図７】
2009520565.tif 000009
【図８】
2009520565.tif 000010
【図９】
2009520565.tif 000011
【図１０】
2009520565.tif 000012
【図１１】
2009520565.tif 000013
【図１２】
2009520565.tif 000014
【図１３】
2009520565.tif 000015
【図１４】
2009520565.tif 000016
【図１５】
2009520565.tif 000017
【図１６】
2009520565.tif 000018
【図１７】
2009520565.tif 000019
【図１８】
2009520565.tif 000020
【図１９】
2009520565.tif 000021
【図２０】
2009520565.tif 000022
【国際調査報告】
2009520565.tif 000023
2009520565.tif 000024
2009520565.tif 000025